(57)【要約】【課題】口金として用いられる部材について、槽体の内側に露出する部分の寸法を抑えるのに好適な排水装置の接続構造を提供する。【解決手段】槽体１００の底面部１０１に排水装置を接続する構造に関する。槽体１００の底面部１０１に形成された排水孔１０３と、排水孔１０３の周縁部１０９に係止された上側接続部材３１と、排水孔１０３の下側において上側接続部材３１に装着された下側接続部材４１と、を有する接続具３０と、を備える。下側接続部材４１は、排水装置を取り付け可能な取付部４７を含む。【選択図】図３
2015068058.tif 000002
【特許請求の範囲】
【請求項１】
槽体の底面部に排水装置を接続する構造であって、
前記底面部に形成された排水孔と、
前記排水孔の周縁部に係止された第１接続部材と、前記第１接続部材に装着された第２接続部材と、を有する接続具と、を備え、
前記第２接続部材は、前記排水装置を取り付け可能な取付部を含むことを特徴とする排水装置の接続構造。
【請求項２】
前記第１接続部材は、筒状部を含み、
前記第２接続部材は、前記筒状部に装着された複数の部材により構成されることを特徴とする請求項１に記載の排水装置の接続構造。
【請求項３】
前記複数の部材は、前記筒状部を取り囲むように配置され、周方向の対向する端部の一方に設けられた爪部が他方に設けられた受け部に係合されることを特徴とする請求項２に記載の排水装置の接続構造。
【請求項４】
前記第２接続部材は、前記排水孔の径方向内側に設けられる係合部を含み、
前記第１接続部材は、前記係合部が係合される被係合部を含むことを特徴とする請求項１から３のいずれかに記載の排水装置の接続構造。
【請求項５】
前記被係合部は、前記第１接続部材を前記排水孔の径方向に貫通する貫通孔により構成され、
前記係合部は、前記貫通孔を貫通して前記排水孔の径方向内側に向けて突出することを特徴とする請求項４に記載の排水装置の接続構造。
【発明の詳細な説明】
【技術分野】
【０００１】
本発明は、シンク、洗面ボウル等の槽体の底面部に排水装置を接続する接続構造に関する。
【背景技術】
【０００２】
家は多くの人にとって最も長い時間を過ごす場所である。過ごしやすさは、住宅設備の機能だけでなくデザインにもよる。キッチンに用いられるシンク等の槽体についても、利用者は使い易さとともにスタイリッシュなデザインを求める傾向が強い。
【０００３】
槽体の底面部には排水孔が形成される。排水孔の下側には、人の目に触れない箇所で排水装置が接続される。この接続構造では、通常、排水孔の周縁部に口金を取り付け、槽体の下側でこの口金に排水装置が接続される（特許文献１参照）。口金は、その上部にフランジとしての係止部が設けられ、その係止部が排水孔の周縁部に係止される。また、口金は、その下部が筒状に形成されて排水孔に挿通される。口金の下部には外周面に雄ねじ部が設けられ、排水装置の一部としてのロックナットが雄ねじ部にねじ込まれる。
【先行技術文献】
【特許文献】
【０００４】
【特許文献１】特開２０１２−１９０７号
【発明の概要】
【発明が解決しようとする課題】
【０００５】
特許文献１の構造では、口金の一部が槽体の内側に露出して見える。より高いデザイン性を実現するため、槽体の内側に露出する部分（以下、適宜、槽体内側部分という）の寸法を小さくして、排水孔周りの見た目をさらにすっきりさせる余地がある。
【０００６】
口金の内径は、その内側を通る水の通水量等にも影響する。よって、口金の槽体内側部分の寸法を小さくするうえでは、口金の内径をそのままにして外径を小さくできるとよい。しかし、口金は、その下部を排水孔に挿通させつつ、その上部の係止部を排水孔の周縁部に係止させるため、係止部の外径を下部の外径より大きくする必要がある。また、口金の下部の外周面には、雄ねじ部を設ける必要があるため、ねじ山を除いた肉厚部分で部材強度を確保しつつ、ねじ山の高さ分だけ余計に厚さ寸法を確保する必要がある。よって、係止部の外径もねじ山の高さ分だけ余計に大きくする必要があり、口金の槽体内側部分の外径を小さくするにも限界があった。
【０００７】
本発明は、このような課題に鑑みてなされ、その目的は、口金として用いられる部材について、槽体の内側に露出する部分の寸法を抑えるのに好適な排水装置の接続構造を提供することにある。
【課題を解決するための手段】
【０００８】
上述の課題を解決するために、本発明のある態様は、排水装置の接続構造に関する。排水装置の接続構造は、槽体の底面部に排水装置を接続する構造であって、底面部に形成された排水孔と、排水孔の周縁部に係止された第１接続部材と、第１接続部材に装着された第２接続部材と、を有する接続具と、を備え、第２接続部材は、排水装置を取り付け可能な取付部を含むことを特徴とする。
【０００９】
この態様によれば、排水装置を取り付ける取付部が第１接続部材ではなく第２接続部材に設けられる。よって、排水孔に挿通される第１接続部材の一部に雄ねじ部を設ける必要がなくなり、第１接続部材の槽体内側部分の外径をねじ山の高さ分だけ余計に大きくする必要がなくなる。したがって、第１接続部材の槽体内側部分の内径をそのままにして外径を小さくでき、槽体の底面を見たときの接続具の露出が抑えられる。
【００１０】
また、前述の態様において、第１接続部材は、筒状部を含み、第２接続部材は、筒状部に装着された複数の部材により構成されてもよい。この態様によれば、第１接続部材の筒状部に第２接続部材を装着するときでも、細かく分かれた部材を個別に装着して施工できるので、その施工性が良好となる。また、この態様において、複数の部材は、筒状部を取り囲むように配置され、その周方向の対向する端部の一方に設けられた爪部が他方に設けられた受け部に係合されてもよい。この態様によれば、第２接続部材の装着時の施工性を良好としつつも、複数の部材の固定度が増し、その第２接続部材に取り付けられる排水装置ががたつき難くなる。
【００１１】
また、前述の態様において、第２接続部材は、排水孔の径方向内側に設けられる係合部を含み、第１接続部材は、係合部が係合される被係合部を含んでもよい。この態様によれば、特別な留め具やねじを用いず、これらの係合により第２接続部材を第１接続部材に装着でき、その施工性が良好となる。また、この態様において、被係合部は、第１接続部材を排水孔の径方向に貫通する貫通孔により構成され、係合部は、貫通孔を貫通して排水孔の径方向内側に向けて突出してもよい。この態様によれば、その貫通孔から突出した係合部の一部を封水筒等の他部材に嵌合等させて、他部材を接続具に固定できる。
【発明の効果】
【００１２】
本発明によれば、口金として用いられる接続具について、槽体の内側に露出する部分の寸法を好適に抑えられる。
【図面の簡単な説明】
【００１３】
【図１】第１実施形態に係る排水装置の接続構造を示す正面断面図である。
【図２】第１実施形態に係る排水装置の接続構造の分解図である。
【図３】第１実施形態に係る排水装置の接続構造を示す拡大正面断面図である。
【図４】（ａ）は上側接続部材に下側接続部材が装着された状態を示す平面断面図であり、（ｂ）は（ａ）のＡ−Ａ線断面図であり、（ｃ）は（ｂ）のＢ部の拡大図である。
【図５】第１実施形態に係る上側接続部材から下側接続部材を取り外した状態を示す平面断面図である。
【図６】第１実施形態に係る封水筒を示す正面図である。
【図７】第２実施形態に係る排水装置の接続構造を示す拡大正面断面図である。
【発明を実施するための形態】
【００１４】
［第１の実施の形態］
図１は、第１実施形態に係る排水装置１１０の接続構造１０が用いられる槽体１００を示し、図２は、その接続構造１０の分解図を示す。槽体１００は、家屋のキッチン等に設置されるシンクを示す。槽体１００は、吐水等された水を受けられればよく、この他に洗面ボウル等でもよい。槽体１００の素材は、図示の例において、樹脂材料としての人工大理石が用いられているが、他の樹脂材料でもよいし、ステンレス等の金属材料でもよい。
【００１５】
槽体１００の底面部１０１には、上下方向に貫通する排水孔１０３が形成される。排水孔１０３は、垂下壁１０５と、係合壁１０７とを含む。垂下壁１０５は、排水孔１０３の上端縁１０３ａから内周を下方に垂下して筒状に形成される。係合壁１０７は、垂下壁１０５の下部から径方向内側に環状に突出して設けられる。係合壁１０７は、その内径が垂下壁１０５の内径より小さく形成される。排水孔１０３は、垂下壁１０５と係合壁１０７とが上下に並んだ段付孔として設けられる。垂下壁１０５と係合壁１０７とは、槽体１００の底面部１０１の一部として一体成形される。
【００１６】
排水孔１０３には、後述の接続構造１０により排水装置１１０が接続される。排水装置１１０は中継管１５１を介して下水側の下水管（図示せず）に接続される。槽体１００内で使用された水は、排水孔１０３を通して排水装置１１０の本体１２１（後述する）に流れ、排水装置１１０の本体１２１は、排水孔１０３から流れた水を中継管１５１を通して外部である下水管に排出する。
【００１７】
本実施形態に係る排水装置１１０は、封水筒１３１を用いた排水トラップである。排水装置１１０は、連結体１１１と、本体１２１と、封水筒１３１とを備える。
【００１８】
連結体１１１は、排水装置１１０の一部を構成し、後述の接続具３０と本体１２１とを繋ぐものとして設けられる。連結体１１１は、図示の例では、本体１２１と別体に設けられる。連結体１１１は、図３に示すように、排水孔１０３の周縁部１０９の下側に配置され、後述の接続具３０により、排水孔１０３に対して固定される。この周縁部１０９は、排水孔１０３の周りに槽体１００の一部として設けられた部位であり、垂下壁１０５及び係合壁１０７と、排水孔１０３の上端縁１０３ａ周りに設けられた環状部分１０１ｂとの両方が含まれる。
【００１９】
連結体１１１は、被固定部１１２と、上側嵌合部１１３と、下側嵌合部１１５と、上側フランジ部１１７とを含む。連結体１１１は、図示の例では樹脂材料を素材とし、これらが一体成形される。
【００２０】
被固定部１１２は、筒状に形成され、その内側に雌ねじ部１１２ａが設けられる。上側嵌合部１１３は、被固定部１１２の上側において、上方に開口して下方に窪む凹みとして設けられ、その内側に筒状の垂下壁１０５が嵌合される。下側嵌合部１１５は、被固定部１１２の外周側において、下方に開口して上方に窪む筒状の溝として設けられ、その内側に排水装置１１０の本体１２１の上端部１２１ｂが嵌合される。上側フランジ部１１７は、下側嵌合部１１５の外周側に設けられる。
【００２１】
図１、図２に戻り、本体１２１は、上端側に流入口としての開口が設けられた有底筒状に形成され、その側部に流出口１２３が形成される。本体１２１の流出口１２３には排出管１２５が設けられ、排出管１２５の先端部には中継管１５１が接続される。
【００２２】
本体１２１は、その上部の外周面に下側フランジ部１２７が設けられる。下側フランジ部１２７は、連結体１１１の上側フランジ部１１７に当接され、これらを留め具１５３により挟み込んで連結体１１１に本体１２１が固定される。連結体１１１の下側嵌合部１１５と本体１２１とは、何れか一方の周面（図示は本体１２１の外周面）に環状溝が形成され、その環状溝内に配置されたシール部材としてのＯリング１２９によりシールされる。
【００２３】
封水筒１３１は、排水孔１０３を通して本体１２１内に上側から挿通され、後述の接続具３０により、排水孔１０３に対して上下に固定される。封水筒１３１の下端部１３１ａは、本体１２１の底面１２１ａから上側に間隔を空けた位置であって、本体１２１の流出口１２３より下側に配置される。排水装置１１０は、封水筒１３１内に第１流路１４１が設けられ、その封水筒１３１の下部と本体１２１との間に第２流路１４３が設けられる。第１流路１４１は、封水筒１３１の上端から下端まで続く。第２流路１４３は、封水筒１３１の下端から本体１２１の流出口１２３まで続く。
【００２４】
第１流路１４１と第２流路１４３とには、本体１２１の流出口１２３より下方に封水１４５が貯留される。つまり、排水トラップとしての排水装置１１０は、その流入側である槽体１００側から流出側である下水側にかけての流路の一部に、空気の流れを遮断する封水１４５が貯留される。この封水１４５により、下水側から槽体１００の内外への異臭や衛生害虫等の侵入が防止される。
【００２５】
排水装置１１０の接続構造１０は、図３に示すように、排水孔１０３と、連結体１１１と、封水筒１３１の他に、接続具３０と、上側シール部材５０（第１シール部材）と、下側シール部材６０（第２シール部材）とを含む。
【００２６】
接続具３０は、排水孔１０３に排水装置１１０を接続する口金として機能する。接続具３０は、上側接続部材３１（第１接続部材）と、下側接続部材４１（第２接続部材）とを備える。上側接続部材３１は、外筒部３３と、下側係止部３５とを備える。上側接続部材３１は、図示の例では、ステンレス等の金属材料を素材とし、これらが一体成形される。
【００２７】
外筒部３３は、排水孔１０３に上側から挿通される。外筒部３３の外周面及び内周面は、本実施形態において、その上下方向にかけて段差のない直線状に延びた曲面として形成される。つまり、外筒部３３の外周面には、ねじ山が形成されない無ねじ部が設けられる。外筒部３３は、その外径が排水孔１０３の内径より僅かに小さく形成される。
【００２８】
下側係止部３５は、外筒部３３の上端部に外向きフランジとして環状に設けられる。下側係止部３５の外径は、排水孔１０３の垂下壁１０５の内径より小さく、係合壁１０７の内径より大きく形成される。下側係止部３５は、排水孔１０３の係合壁１０７の上面１０８に上側シール部材５０を介して上側から係止される。下側係止部３５は、垂下壁１０５の上下方向の中央位置１０５ａより下方に収まるように、その垂下壁１０５内の下部に配置される。
【００２９】
図４（ａ）は、上側接続部材３１に下側接続部材４１が装着された状態を示す平面断面図であり、（ｂ）は（ａ）のＡ−Ａ線断面図であり、（ｃ）は（ｂ）のＢ部拡大図である。なお、図４（ａ）は（ｂ）のＣ−Ｃ線断面図でもある。また、図５は、上側接続部材３１から下側接続部材４１を取り外した状態を示す図である。
【００３０】
下側接続部材４１は、筒状部４２を含み、樹脂材料等を素材として成形される。筒状部４２は、その内側に上側接続部材３１の外筒部３３が配置される。
【００３１】
下側接続部材４１は、その周方向に分割した複数の分割体４３（図示は２つ）を結合して構成される。各分割体４３は、上側接続部材３１の外筒部３３を取り囲むように配置される。各分割体４３は、その周方向の対向する端部の一方に径方向に突出する突起としての爪部４３ａが設けられ、他方に径方向に窪む凹みとしての受け部４３ｂが設けられる。各分割体４３は、一方の分割体４３の爪部４３ａが他方の分割体４３の受け部４３ｂに係合されて結合される。
【００３２】
複数の分割体４３の互いに対向する端部を遠ざけるようにある程度の力を加えて移動させると、分割体４３の周方向端部の弾性変形を伴い受け部４３ｂ内から爪部４３ａが抜け出る。一方、複数の分割体４３の互いに対向する端部を近づけるように移動させると、分割体４３の周方向端部の弾性変形を伴い受け部４３ｂ内に爪部４３ａが差し込まれ、爪部４３ａが受け部４３ｂに係合されて結合される。つまり、複数の分割体４３は脱着可能に結合される。
【００３３】
下側接続部材４１の筒状部４２には、径方向内側に突起としての係合部４５が設けられる。係合部４５は、筒状部４２の周方向の一部の範囲に設けられる。上側接続部材３１の外筒部３３には、貫通孔３３ａにより構成される被係合部が設けられる。貫通孔３３ａは、外筒部３３の周方向の一部の範囲であって、外筒部３３の無ねじ部に設けられる。貫通孔３３ａは、外筒部３３を径方向に貫通する。
【００３４】
下側接続部材４１の係合部４５は、複数の分割体４３を結合したときに、外筒部３３の貫通孔３３ａを貫通して排水孔１０３の径方向内側に向けて突出し、貫通孔３３ａに嵌合される。係合部４５は貫通孔３３ａの底面に係合し、その係合により上側接続部材３１に下側接続部材４１が上下方向に位置決めされる。また、係合部４５が貫通孔３３ａに嵌合するため、上側接続部材３１に下側接続部材４１が周方向に位置決めされる。
【００３５】
複数の分割体４３の結合を解除するように移動させると、下側接続部材４１の係合部４５が貫通孔３３ａから径方向に抜き出される。一方、下側接続部材４１の係合部４５を貫通孔３３ａに差し込むように移動させると、係合部４５が貫通孔３３ａに嵌合されて、その底面に係合される。つまり、下側接続部材４１の係合部４５は、上側接続部材３１に対して径方向に位置をずらすと、被係合部としての貫通孔３３ａとの係合が解除される。また、下側接続部材４１を構成する複数の分割体４３は、係合部４５が被係合部としての貫通孔３３ａに係合される係合位置と、これらの係合が解除される解除位置との間を移動することにより、上側接続部材３１の外筒部３３に脱着可能に装着される。
【００３６】
下側接続部材４１の係合部４５は、外筒部３３の貫通孔３３ａを貫通して排水孔１０３の径方向内側に向けて突出し、外筒部３３の内周面に段差としての嵌合凸部３７が設けられる。嵌合凸部３７は、後述のように、封水筒１３１の筒側嵌合部１３３ｂが嵌合される。
【００３７】
図３に戻り、下側接続部材４１の筒状部４２の外周面には、雄ねじ部４２ａが設けられる。雄ねじ部４２ａには、排水装置１１０の一部としての連結体１１１の雌ねじ部１１２ａが螺合され、連結体１１１が下側接続部材４１に固定される。つまり、下側接続部材４１には、排水装置１１０の一部をねじ込みにより固定して取り付け可能な取付部４７が設けられる。取付部４７は、図示の例において、排水孔１０３の最小内径部分となる係合壁１０７の内周面より径方向外側にずれた位置に設けられる。
【００３８】
上側シール部材５０、下側シール部材６０は、排水装置１１０の本体１２１内から排水孔１０３と接続具３０との間を通って槽体１００内に流れる水を遮断するために設けられる。上側シール部材５０は、排水孔１０３の係合壁１０７と、上側接続部材３１の下側係止部３５との間に配置される。下側シール部材６０は、連結体１１１の被固定部１１２と、排水孔１０３の係合壁１０７との間に配置される。これらシール部材５０、６０は、図示の例において、弾性部材としてのパッキンにより構成される。
【００３９】
下側接続部材４１の雄ねじ部４２ａに連結体１１１の雌ねじ部１１２ａを螺合すると、上側接続部材３１の下側係止部３５と連結体１１１の被固定部１１２との間にシール部材５０、６０が上下方向両側から挟み込まれる。雌ねじ部１１２ａの螺合量を増加させると、排水孔１０３の上下方向両側から係合壁１０７と上側接続部材３１の下側係止部３５とにより上側シール部材５０が押し潰され、これらの間がシールされる。同様に、排水孔１０３の上下方向両側から係合壁１０７と連結体１１１の被固定部１１２とにより下側シール部材６０が押し潰され、これらの間がシールされる。つまり、上側接続部材３１は、排水孔１０３の周縁部１０９との間で上側シール部材５０を挟み込んでこれらの間をシールし、連結体１１１は、別部材との間で下側シール部材６０を挟み込んでこれらの間をシールする。
【００４０】
封水筒１３１は、内筒部１３３と、上側係止部１３５とを備える。内筒部１３３は、上側接続部材３１の外筒部３３より上下方向に長く形成され、その外筒部３３内に挿通される。内筒部１３３は、その上部の外周側に環状溝部１３３ａが設けられ、その環状溝部１３３ａには環状のシール部材としてのパッキン１３７が嵌め入れられる。封水筒１３１と上側接続部材３１との間はパッキン１３７によりシールされる。
【００４１】
図６は、封水筒１３１を示す正面図である。内筒部１３３は、環状溝部１３３ａの下方に筒側嵌合部１３３ｂが設けられる。筒側嵌合部１３３ｂは、内筒部１３３の周方向の一方（図６の左側）から他方（図６の右側）にかけて窪むように、その周方向に沿った溝状に設けられる。図３に戻り、筒側嵌合部１３３ｂには、接続具３０の外筒部３３内に設けられた嵌合凸部３７が嵌合される。筒側嵌合部１３３ｂと嵌合凸部３７との嵌合により、排水孔１０３に対して封水筒１３１が上下に固定される。筒側嵌合部１３３ｂがなす溝の開口側（図６の左側）に嵌合凸部３７が近づくように、接続具３０と封水筒１３１とを周方向に相対移動させると、筒側嵌合部１３３ｂと嵌合凸部３７との嵌合が解除される。この状態から封水筒１３１を上側に移動させると、接続具３０の外筒部３３から封水筒１３１を抜き出せる。
【００４２】
上側係止部１３５は、内筒部１３３の上端部に設けられる。上側係止部１３５は、上側接続部材３１の下側係止部３５に上側から係止される。封水筒１３１は、上側接続部材３１に上側係止部１３５が係止位置にあるとき、上側接続部材３１を被覆するように排水孔１０３内に配置される。また、上側係止部１３５は、垂下壁１０５の内周面を被覆しつつ、排水孔１０３の上端縁１０３ａより下側に収まるように形成される。
【００４３】
次に、排水孔１０３に排水装置１１０を接続する方法の一例を説明する。まず、上側接続部材３１の外筒部３３を排水孔１０３に挿通させるように下側に移動させる（Ｓ１１）。上側接続部材３１は、排水孔１０３の周縁部１０９としての係合壁１０７に、下側係止部３５が上側から上側シール部材５０を介して係止するまで移動させる。上側接続部材３１は、排水孔１０３の係合壁１０７に上側シール部材５０を介して係止する係止位置にあるとき、排水孔１０３の下側において、その外筒部３３の一部が突出する。
【００４４】
排水孔１０３の下側において上側接続部材３１に下側接続部材４１を装着する（Ｓ１３）。本実施形態では、上側接続部材３１の貫通孔３３ａに、複数の分割体４３の係合部４５を差し込んで下側接続部材４１を装着する。各分割体４３は、爪部４３ａを受け部４３ｂに係合させて結合させる。
【００４５】
排水装置１１０の一部としての連結体１１１を下側接続部材４１の取付部４７に取り付ける（Ｓ１５）。本実施形態では、下側接続部材４１の取付部４７としての雄ねじ部４２ａに連結体１１１の雌ねじ部１１２ａを螺合する。
【００４６】
連結体１１１の下側嵌合部１１５内に本体１２１の上端部１２１ｂが嵌合されるように、本体１２１を下側から上側に向けて移動させる（Ｓ１７）。連結体１１１の上側フランジ部１１７に本体１２１の下側フランジ部１２７が当接したら、これらを留め具１５３により挟み込んで固定する。本体１２１と接続具３０とが連結体１１１により繋がれる。
【００４７】
最後に、封水筒１３１の内筒部１３３を上側接続部材３１の外筒部３３内に挿通し、封水筒１３１の筒側嵌合部１３３ｂと接続具３０の嵌合凸部３７とを嵌合させて、排水孔１０３に対して封水筒１３１を上下に固定する（Ｓ１９）。
【００４８】
以上の接続構造１０によれば、口金として機能する接続具３０が上側接続部材３１と下側接続部材４１との二部材に分かれており、排水装置１１０を取り付ける取付部４７が上側接続部材３１ではなく下側接続部材４１に設けられる。よって、排水孔１０３に挿通される上側接続部材３１の外筒部３３に雄ねじ部を設ける必要がなくなり、上側接続部材３１の槽体内側部分の外径をねじ山の高さ分だけ余計に大きくする必要がなくなる。したがって、上側接続部材３１の槽体内側部分、つまり、下側係止部３５の内径をそのままとしつつ外径を小さくでき、槽体１００の底面１０１ａを見たときの接続具３０の露出が抑えられる。また、下側接続部材４１は、排水孔１０３を挿通させる必要がないため、排水孔１０３の内径による規制を受けずに、下側接続部材４１の寸法を調整できる。
【００４９】
また、下側接続部材４１は、上側接続部材３１の筒状部としての外筒部３３に装着される複数の分割体４３により構成される。よって、外筒部３３に下側接続部材４１を装着するとき、細かく分かれた分割体４３を個別に外筒部３３に装着して施工できるので、その施工性が良好となる。
【００５０】
また、下側接続部材４１は複数の分割体４３により構成され、その周方向の対向する一方の端部の爪部４３ａが他方の端部の受け部４３ｂに係合される。よって、下側接続部材４１の装着時の施工性を良好としつつも、複数の分割体４３の固定度が増し、その下側接続部材４１に取り付けられる排水装置１１０ががたつき難くなる。
【００５１】
また、下側接続部材４１は係合部４５を含み、上側接続部材３１は被係合部としての貫通孔３３ａを含むため、特別な留め具やねじを用いず、これらの係合により下側接続部材４１を上側接続部材３１に装着でき、その施工性が良好となる。
【００５２】
また、下側接続部材４１の係合部４５は、上側接続部材３１の貫通孔３３ａを貫通して排水孔１０３の径方向内側に向けて突出している。よって、その突出した部分としての嵌合凸部３７を封水筒１３１の筒側嵌合部１３３ｂに嵌合等させて、他部材を接続具３０に固定できる。
【００５３】
なお、上側接続部材３１は、図３に示すように、その最大外径Ｒ１が下側接続部材４１の最大外径Ｒ２より小さくなるように形成されている。また、下側接続部材４１は、図示の例において、排水装置１１０の接続に必要な寸法、強度を確保し易くするため、その最大外径Ｒ１が排水孔１０３の最小内径Ｒ０より大きくなるように形成される。つまり、下側接続部材４１は、排水孔１０３に挿通不能な形状に形成される。
【００５４】
また、貫通孔３３ａは、図４（ａ）に示すように、その底面が排水孔１０３の周方向に沿って設けられた受け面３３ｂとして構成される。また、係合部４５は、その下面が受け面３３ｂに沿うように形成され、受け面３３ｂに面接触するように係合される。下側接続部材４１に作用する荷重が上側接続部材３１に安定して伝達し易くなり、下側接続部材４１に取り付けられる排水装置１１０ががたつき難くなる。
【００５５】
また、上側接続部材３１の被係合部としての貫通孔３３ａと、この貫通孔３３ａに係合される下側接続部材４１の係合部４５とは、排水孔１０３の周方向に等角度間隔を空けた箇所に位置するように複数組配置される。図示の例では、これらが排水孔１０３の周方向に４組設けられるように、等角度間隔を空けた箇所に位置するように配置される。下側接続部材４１に作用する荷重が上側接続部材３１に安定して伝達し易くなり、下側接続部材４１に取り付けられる排水装置１１０ががたつき難くなる。
【００５６】
また、封水筒１３１は、その内側に周方向に間隔を空けて板状の複数の摘み部１３１ｄが設けられる。図３では一つの摘み部１３１ｄのみを図示する。ユーザーは、摘み部１３１ｄを把持した状態で封水筒１３１を移動等させて、接続具３０の外筒部３３から封水筒１３１を抜き出せる。
【００５７】
また、下側接続部材４１の筒状部４２には、上側接続部材３１の下面と対向する支持部４２ｃが設けられる。支持部４２ｃは、上側接続部材３１の外筒部３３の形状に合わせた形状、つまり、環状に形成され、その上面に上側接続部材３１の下面が接触する。上側接続部材３１に下側接続部材４１を装着するとき、この支持部４２ｃを上側接続部材３１の下面に接触させると、上側接続部材３１に対する下側接続部材４１の位置合せをし易くなり、その装着時の作業性が良好となる。また、支持部４２ｃが上側接続部材３１の下面に接触するため、上側接続部材３１に対する下側接続部材４１の固定度が増し、連結体１１１等の排水装置１１０が上下方向に揺れ動こうとしたとき、その揺れ動きが効果的に抑えられる。
【００５８】
［第２の実施の形態］
図７は、第２実施形態に係る排水装置１１０の接続構造１０を示す。本実施形態では、第１実施形態と比較して、連結体１１１と下側接続部材４１の構成が主に相違する。以下、第１実施形態で説明した要素と同一の要素に同一の符号を付し、重複する説明を省略する。
【００５９】
連結体１１１は、排水孔１０３の周縁部１０９の下側に配置される。連結体１１１は、上側に隣り合う他部材との間で、それらの上下に対向する面を接触させた状態で、排水孔１０３の周縁部１０９と上下に重なるように配置される。連結体１１１の被固定部１１２は、環状に形成され、その内側に雌ねじ部１１２ａが設けられない。
【００６０】
下側接続部材４１の筒状部４２の外周面には、雄ねじ部４２ａが設けられず、その上端部から径方向外側に突出する環状部４２ｂが設けられる。下側接続部材４１が上側接続部材３１に装着される装着位置にあるとき、連結体１１１の被固定部１１２が下側接続部材４１の環状部４２ｂの上面に載置された状態で係合され、連結体１１１と周縁部１０９とが接続具３０により挟み込んで固定される。つまり、下側接続部材４１の環状部４２ｂは、排水装置１１０の一部を挟み込みにより固定して取り付け可能な取付部４７として設けられる。
【００６１】
このように、下側接続部材４１の取付部４７は、排水装置１１０の一部となる連結体１１１をねじ込みにより脱着可能に固定して取り付けてもよいし、挟み込みにより脱着可能に固定して取り付けてもよい。また、この他にも、嵌め合い等により固定して取り付けてもよい。
【００６２】
なお、連結体１１１と周縁部１０９とは、これらの間にスペーサーを配置し、そのスペーサーを挟んで上下に重なるように配置されてもよい。このとき、上側嵌合部１１３と垂下壁１０５とは、そのスペーサーを挟んで嵌合されてもよい。
【００６３】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００６４】
上述の実施形態に係る排水装置１１０は、封水筒１３１を用いた排水トラップを説明したが、排水装置１１０は、封水筒１３１が用いられていなくともよく、Ｓトラップ、椀トラップ等の排水トラップにより構成されてもよい。また、排水装置１１０は、槽体１００の排水孔１０３から流れた水を外部に排出できればよく、排水トラップとして構成されていなくともよい。
【００６５】
また、排水装置１１０の連結体１１１は、本体１２１と別体に設けられた例を説明した。しかし、連結体１１１は、少なくとも接続具３０に本体１２１を繋ぐことができるものとして設けられていればよく、連結体１１１と本体１２１が一体成形により一体に設けられてもよい。また、排水装置１１０の連結体１１１と本体１２１とは、上側フランジ部１１７と下側フランジ部１２７とを留め具１４９により挟み込んで固定する例を説明したが、その固定方法は、これに限定されず、この他にもボルトナット等を用いて固定してもよい。
【００６６】
排水孔１０３は、垂下壁１０５と、係合壁１０７とを含むものを説明したが、係合壁１０７が含められていなくともよい。また、排水孔１０３は、垂下壁１０５と係合壁１０７との両方を含んでいなくともよい。この場合、接続具３０は、上側接続部材３１の上側係止部１３５を排水孔１０３の上端縁１０３ａ周りの環状部分１０１ｂに係止させてもよい。
【００６７】
下側接続部材４１の係合部４５は、上述の実施形態において、上側接続部材３１に対して径方向に位置をずらすと、被係合部としての貫通孔３３ａとの係合が解除される例を説明した。この変形例として、被係合部は、径方向に貫通する貫通孔３３ａでなくともよく、少なくとも径方向に窪む凹みとして設けられていればよい。また、この他にも、被係合部は、上側接続部材３１の外筒部３３の外周面の突起として設けられてもよい。この場合、下側接続部材４１の係合部４５は、排水孔１０３の径方向又は周方向に位置をずらすと、突起としての被係合部に上側から係合されてもよい。いずれにしても、下側接続部材４１の係合部４５は、排水孔１０３の径方向又は周方向に位置をずらすと、被係合部に係合される係合位置と、被係合部との係合が解除される解除位置との間を移動するように構成されてよい。
【００６８】
上側シール部材５０及び下側シール部材６０は、本発明において必須となるものではないし、何れか一方のみが設けられていてもよい。
【符号の説明】
【００６９】
１０  接続構造、３０  接続具、３１  上側接続部材、３３  外筒部、３３ａ  貫通孔、３５  下側係止部、３７  嵌合凸部、４１  下側接続部材、４２  筒状部、４２ａ  雄ねじ部、４２ｂ  環状部、４３  分割体、４３ａ  爪部、４３ｂ  受け部、４５  係合部、４７  取付部、５０  上側シール部材、６０  下側シール部材、１００  槽体、１０１  底面部、１０３  排水孔、１０３ａ  上端縁、１０５  垂下壁、１０７  係合壁、１０９  周縁部、１１０  排水装置、１１１  連結体、１１２  被固定部、１１２ａ  雌ねじ部、１１３  上側嵌合部、１１５  下側嵌合部、１１７  上側フランジ部、１２１  本体、１２７  下側フランジ部、１２９  Ｏリング、１３１  封水筒、１３３  内筒部、１３３ｂ  筒側嵌合部、１３５  上側係止部、１３７  パッキン、１４１  第１流路、１４３  第２流路、１４５  封水。
【図１】
2015068058.tif 000003
【図２】
2015068058.tif 000004
【図３】
2015068058.tif 000005
【図４】
2015068058.tif 000006
【図５】
2015068058.tif 000007
【図６】
2015068058.tif 000008
【図７】
2015068058.tif 000009